(57)【要約】【課題】通信装置の通信設定に関する特別な知識を有しない作業者や個別の事情を把握していない作業者であっても、簡易、確実に通信装置の設定を行うことのできるネットワーク通信システム及びネットワーク通信システムの設定方法を提供する。【解決手段】通信ネットワークＡに接続される第１の通信装置１と、第１の通信装置１に接続される第２の通信装置２と、第２の通信装置２に通信設定を行う携帯情報端末３と、携帯情報端末３に送信される第２の通信装置２への通信設定を行うに必要な設定情報を作成、管理する管理サーバ４とを備える。【選択図】図１
2011004130.tif 000002
【特許請求の範囲】
【請求項１】
通信ネットワークに接続される第１の通信装置と、
前記第１の通信装置に接続される第２の通信装置と、
前記第２の通信装置に通信設定を行う携帯情報端末と、
前記携帯情報端末に送信される前記第２の通信装置への通信設定を行うに必要な設定情報を作成、管理する管理サーバと、
を備えることを特徴とするネットワーク通信システム。
【請求項２】
前記携帯情報端末は、前記通信ネットワークに接続される無線局に接続して、前記管理サーバから前記設定情報を入手することを特徴とする請求項１に記載のネットワーク通信システム。
【請求項３】
予め作成された通信ネットワークに第１の通信装置を介して接続する第２の通信装置の通信設定を行うに必要な設定情報を管理サーバに記憶するステップと、
前記第２の通信装置に対して通信設定を行う携帯情報端末を接続するステップと、
前記携帯情報端末が前記管理サーバにアクセスし、前記設定情報を取得するステップと、
前記携帯情報端末が前記第２の通信装置に対して前記設定情報を送信するステップと、
前記第２の通信装置は前記設定情報を受信し、通信設定を行うステップと、
を備えることを特徴とするネットワーク通信システムの設定方法。
【請求項４】
前記設定情報に基づいて通信設定を行った前記第２の通信装置は、自らが保存する家電管理情報を前記管理サーバへと送信するステップと、
を備えることを特徴とする請求項３に記載のネットワーク通信システムの設定方法。
【請求項５】
前記第２の通信装置の通信設定に成功した場合、前記管理サーバは、前記家電管理情報を受信し前記第２の通信装置への通信設定が成功した旨を確認するとともに記憶するステップと、
を備えることを特徴とする請求項４に記載のネットワーク通信システムの設定方法。
【請求項６】
前記第２の通信装置の通信設定に失敗し、前記第２の通信装置から前記管理サーバへの前記家電管理情報の送信ができなかった場合に、前記第２の通信装置は、前記携帯情報端末に対して通信設定が失敗した旨送信するステップを備えることを特徴とする請求項４に記載のネットワーク通信システムの設定方法。
【請求項７】
前記第２の通信装置の通信設定が成功した場合に、前記第２の通信装置は、前記管理サーバに記憶されている記憶済み家電管理情報を前記第２の通信装置へ送信する旨の要求を行うステップと、
前記第２の通信装置は、前記要求に基づいて送信された前記記憶済み家電管理情報と自らが保存する家電管理情報とを比較するステップと、
をさらに備えることを特徴とする請求項４または請求項５に記載のネットワーク通信システムの設定方法。
【発明の詳細な説明】
【技術分野】
【０００１】
本発明は、ネットワーク通信システム及びネットワーク通信システムの設定方法に関する。
【背景技術】
【０００２】
近年、インターネット等を利用するネットワーク通信が普及している。インターネット接続は、インターネットサービスプロバイダ（以下、適宜「ＩＳＰ」と省略する）と契約して行われるのが一般的である。ネットワーク間のパケット中継を行うためにはルータ（ブロードバンドルータ）が使用される。このようなブロードバンドルータでは、通常ＩＳＰ接続情報の設定を利用者が行う。
【０００３】
利用者は、加入しているＩＳＰに対する接続情報を何らかの方法によって入手し、設定を行うが、利用するブロードバンドルータごとに設定方法が異なる場合も多々見受けられる。また、設定手順や設定項目は利用者の居住地や利用するＩＳＰによって異なるため、予めブロードバンドルータに初期設定を施しておくことは困難である。
【０００４】
そこで、このような弊害を回避するために、以下の特許文献１には、次の発明が開示されている。すなわち、無線ＬＡＮ通信が可能な携帯電話を使用して、ＩＳＰ接続サーバよりＩＳＰ接続情報を取得し、無線ＬＡＮ通信を介してブロードバンドルータに通信設定を行うネットワーク通信システムの設定方法である。この方法によれば、容易かつ迅速に設定を行うことができる、とされる。
【先行技術文献】
【特許文献】
【０００５】
【特許文献１】特開２００７−２４３３６５号公報
【発明の概要】
【発明が解決しようとする課題】
【０００６】
しかしながら、上記特許文献１に開示されているネットワーク通信システムの設定方法では、以下の点に配慮されていない。
【０００７】
すなわち、戸建てであればＩＳＰの接続は上述した発明によって容易かつ迅速に行うことができるが、例えば、マンション等の集合住宅に設置された複数の通信装置の通信設定を行う場合には、不適切な場合が生ずる。
【０００８】
集合住宅等においては、インターネット接続のコストを抑えるために、複数戸で１社のＩＳＰと契約する形態が散見される。これは、実際にインターネットに接続するために集合住宅等において設置される大元の通信装置と、この通信装置に接続される各戸が設置する通信装置とから構成される。従って、各戸からインターネットへは、自らが設置した通信装置を介して、さらにこの通信装置と接続される大元の通信装置を介して接続されることになる。
【０００９】
このような構成が採用される場合、大元の通信装置と各戸の通信装置とはその設定が互いに影響しないように設定する必要がある。例えば、ＩＰアドレスの割り振り範囲を大元の通信装置と各戸の通信装置とで変更する等である。このような設定は、通常大元の通信装置に対してではなく各戸の通信装置に対して行われる。そのため、この設定を行う作業者は大元の通信装置の設定状態を理解した上で、各戸の通信装置の通信設定を適切に行わなければならない。従って、作業者には適切な知識が要求されるとともに、予め設定対象となる通信装置の設置場所といった固有の設置事情を把握しておく必要がある。
【００１０】
本発明は上記課題を解決するためになされたものであり、本発明の目的は、通信装置の通信設定に関する特別な知識を有しない作業者や個別の事情を把握していない作業者であっても、簡易、確実に通信装置の設定を行うことのできるネットワーク通信システム及びネットワーク通信システムの設定方法を提供することである。
【課題を解決するための手段】
【００１１】
本発明の実施の形態に係る第１の特徴は、ネットワーク通信システムにおいて、通信ネットワークに接続される第１の通信装置と、第１の通信装置に接続される第２の通信装置と、第２の通信装置に通信設定を行う携帯情報端末と、携帯情報端末に送信される第２の通信装置への通信設定を行うに必要な設定情報を作成、管理する管理サーバとを備える。
【００１２】
本発明の実施の形態に係る第２の特徴は、ネットワーク通信システムの設定方法において、通信ネットワークに第１の通信装置を介して接続する第２の通信装置の通信設定を行うに必要な設定情報を管理サーバが作成するステップと、第２の通信装置に対して通信設定を行う携帯情報端末を接続するステップと、携帯情報端末が管理サーバにアクセスし、設定情報を取得するステップと、携帯情報端末が第２の通信装置に対して設定情報を送信するステップと、第２の通信装置は設定情報を受信し、通信設定を行うステップとを備える。
【発明の効果】
【００１３】
本発明によれば、通信装置の通信設定に関する特別な知識を有しない作業者や個別の事情を把握していない作業者であっても、簡易、確実に通信装置の設定を行うことのできるネットワーク通信システム及びネットワーク通信システムの設定方法を提供することができる。
【図面の簡単な説明】
【００１４】
【図１】本発明の実施の形態におけるネットワーク通信システムを示す全体図である。
【図２】本発明の実施の形態における第２の通信装置の内部構成を示すブロック図である。
【図３】本発明の実施の形態における携帯情報端末の内部構成を示すブロック図である。
【図４】本発明の実施の形態における管理サーバの内部構成を示すブロック図である。
【図５】本発明の実施の形態における第２の通信装置への通信設定の流れを示すフローチャートである。
【図６】本発明の実施の形態における第２の通信装置への通信設定の確認の流れを示すフローチャートである。
【発明を実施するための形態】
【００１５】
以下、本発明の実施の形態について図面を参照して詳細に説明する。
【００１６】
図１は、本発明の実施の形態におけるネットワーク通信システムＳを示す全体図である。ネットワーク通信システムＳは、通信ネットワークＡに接続される第１の通信装置１と、第１の通信装置１に接続される第２の通信装置２と、第２の通信装置２に通信設定を行う携帯情報端末３と、携帯情報端末３に送信される第２の通信装置２への通信設定を行うに必要な設定情報をＩＴ専門家が作成し、この作成された設定情報を記憶しておく管理サーバ４とから構成される。
【００１７】
第１の通信装置１と第２の通信装置とは、マンション等の集合住宅Ｈにそれぞれ設置される。第２の通信装置２は集合住宅の各戸に個別に設置される通信装置であり、第１の通信装置１は、これら設置された第２の通信装置２とそれぞれ接続されるとともに、通信ネットワークＡに接続され、第２の通信装置２と通信ネットワークＡとの通信を仲介している。
【００１８】
但し、これら第１の通信装置１と第２の通信装置２としては、例えば、ブロードバンドルータが好適に用いられるが、特に機種が一様である必要はない。また、これら第１の通信装置１と第２の通信装置２との関係が成立するのであれば、それぞれの設置場所が集合住宅Ｈではなく、例えば企業内であっても構わない。
【００１９】
また、各戸に設置される第２の通信装置２には、その各戸内で使用される図示しない家電機器が接続されている。これら各家電機器が第２の通信装置２と接続されていることによって、各家電機器から通信ネットワークＡに接続することができたり、或いは、利用者が集合住宅Ｈ外から各戸の家電機器の動きを制御したりすることが可能となる。
【００２０】
なお、図１に示すネットワーク通信システムＳの全体図においては、第２の通信装置２は３つ（第２の通信装置２Ａ〜２Ｃ）第１の通信装置１に接続されているが、この第２の通信装置２が第１の通信装置１にいくつ接続されるかは単数、複数の別も含めて全くの任意である。また、これら第２の通信装置２Ａ〜２Ｃについては、以下、便宜的に「第２の通信装置２」とまとめて表わす。
【００２１】
図２は、本発明の実施の形態における第２の通信装置２の内部構成を示すブロック図である。第２の通信装置２は、受信手段２ａと、判断手段２ｂと、記憶手段２ｃと、比較手段２ｄと、送信手段２ｅとからなる。第２の通信装置２は、第１の通信装置１と、或いは後述するように携帯情報端末３とは、有線、或いは、無線で接続される。従って、受信手段２ａ、送信手段２ｅにおける情報の伝達を行うための接続方法は、自由に設定することができる。なお、第２の通信装置２の内部構成における各手段の働きについては、後述する。
【００２２】
携帯情報端末３は、第２の通信装置２の通信設定を行う作業者が携帯する機器である。この携帯情報端末３は、どのような端末であっても良いが、例えば、携帯電話が好適に用いられる。
【００２３】
図３は、携帯情報端末３の内部構成を示すブロック図である。携帯情報端末３は、主に入力手段３ａと、制御手段３ｂと表示手段３ｃとから構成される。また、制御手段３ｂ内は、さらに、受信手段３ｂ１と、判断手段３ｂ２と、記憶手段３ｂ３と、送信手段３ｂ４とから構成される。入力手段３ａは、作業者が作業を行う上で使用する入力デバイスのことであり、例えば、キーボードやタッチ画面を挙げることができる。
【００２４】
また、表示手段３ｃは、第２の通信装置２への通信設定が適切に行われたか否かを確認等するために用いられ、例えば、携帯電話の画面等を挙げることができる。なお、ここでは、携帯情報端末３として携帯電話を好適に使用することができる観点から、以上のように説明したが、入力手段３ａや表示手段３ｃが携帯情報端末３から独立して存在し、必要に応じて適宜接続されるようにされていても良い。
【００２５】
携帯情報端末３は、第２の通信装置２と或いは後述するように無線局５と有線、或いは、無線で接続される。従って、受信手段３ｂ１、送信手段３ｂ４における情報の伝達を行うための接続方法は、自由に設定することができる。なお、携帯情報端末３の内部構成における各手段の働きについては後述する。
【００２６】
管理サーバ４は、第２の通信装置２に対して通信設定を行う際に用いる設定情報をＩＴ専門家が作成し、この設定情報を記憶しておくサーバである。通常、通信ネットワークＡに接続されている。図４は、管理サーバ４の内部構成を示すブロック図である。管理サーバ４は、受信手段４ａと、判断手段４ｂと、記憶手段４ｃと、送信手段４ｄと、から構成される。なお、図４においては図示していないが、これら各手段の他、設定情報を作成する際に用いられる入力手段や表示手段等を備えていても良い。
【００２７】
無線局５は、通信ネットワークＡに接続されており、携帯情報端末３を通信ネットワークＡに接続する役割を果たしている。携帯情報端末３と無線局５との間は、無線にて情報のやりとりが行われる。なお、無線局５は、図１においては１つしか示されていないが、携帯情報端末３が通信ネットワークＡに接続されるまでにいくつの無線局５を中継しても構わない。
【００２８】
次に、第２の通信装置２への通信設定を行う流れについて、図５に示すフローチャートを例に挙げて説明する。また、第２の通信装置２、携帯情報端末３、管理サーバ４の各内部構成が果たす役割についても合わせて適宜説明する。
【００２９】
まず、管理サーバ４において、第２の通信装置２の通信設定において使用される設定情報をＩＴ専門家が作成し、記憶する（ＳＴ１）。作成された設定情報は、記憶手段４ｃ内に記憶される。なお、設定される第２の通信装置２の数は多数にのぼるが、管理サーバ４においては、各第２の通信装置２ごとに合わせた設定情報が作成される。また、第２の通信装置２と接続される第１の通信装置１との関係も考慮される。そのため、予め記憶手段４ｃには、第１の通信装置１、第２の通信装置２それぞれの個別情報（例えば、機種、型番等）が記憶されている。
【００３０】
第２の通信装置２の通信設定を行う作業者は、携帯情報端末３と通信設定の対象となる第２の通信装置２とを接続する（ＳＴ２）。なお、図１においては、携帯情報端末３が第２の通信装置２Ｃとのみ接続されているように表わされているが、必要に応じて適宜携帯情報端末３は第２の通信装置２Ａや第２の通信装置２Ｂとも接続されて通信設定が行われる。以下では「第２の通信装置２」とまとめて説明する。
【００３１】
携帯情報端末３は、通信設定の対象である第２の通信装置２と接続しても、この時点ではこの第２の通信装置２の通信設定を行うために必要な設定情報を有していない。そこで、携帯情報端末３は無線局５を介して管理サーバ４にアクセスし、該当する第２の通信装置２に関する設定情報を取得する（ＳＴ３）。
【００３２】
ここで、設定情報は、第２の通信装置２のユニークな（個別に付与されている）情報を利用して記憶手段４ｃの中から選択される。選択の方法は種々考えられるが、例えば、携帯情報端末３が第２の通信装置２と接続された際、第２の通信装置２に関するＭＡＣアドレスを取得することから、このＭＡＣアドレスを管理サーバ４に送信する。送信されてきたＭＡＣアドレスを基に、判断手段４ｂが記憶手段４ｃの中から該当するＭＡＣアドレスを備える設定情報を入手し、通信ネットワークＡ、無線局５を介して設定情報の取得要求を出した携帯情報端末３へと送信する。或いは、携帯情報端末３の表示手段３ｃに第２の通信装置２に関する設定情報のリストを表示させ、作業者が選択した設定情報を管理サーバ４の判断手段４ｂが選択して携帯情報端末３へと送信する方式を採用しても良い。
【００３３】
管理サーバ４からの設定情報は、携帯情報端末３の受信手段３ａを介して制御手段３ｂ内に送信される。設定情報を受信した判断手段３ｂ２は、記憶手段３ｂ３に記憶させる（ＳＴ４）。もちろん、設定する第２の通信装置２ごとに、そのたびに管理サーバ４にアクセスして、適切な設定情報を取得する方法を採用しても良い。ただ、このように記憶手段３ｂ３内に記憶させておくことによって、例えば、同一機種の第２の通信装置２に対して通信設定を行う際に簡便かつ、作業効率の向上を図ることができる。
【００３４】
そして、管理サーバ４から取得した適切な設定情報を携帯情報端末３から設定対象となる第２の通信装置２へと送信する（ＳＴ５）。この設定情報の送信には、上述したように有線、或いは、無線を使用することができる。第２の通信装置２は設定情報を受信するとともに（ＳＴ６）、この設定情報に基づいて自ら通信設定を行う（ＳＴ７）。
【００３５】
通信設定が終了した第２の通信装置２は、次に、自己の記憶手段２ｃ内に記憶されている家電機器管理情報を管理サーバ４へと送信する（ＳＴ８）。これは、通信設定された結果、第２の通信装置２と管理サーバ４との間で通信が確立されているか否かをチェックするためである。
【００３６】
上述したように、第２の通信装置２には、その第２の通信装置２が設置される戸内に設置される家電機器が接続されている。第２の通信装置２の記憶手段２ｃには、接続される家電機器と通信するに必要な情報が記憶されている。そこで、この家電機器管理情報を利用してチェックを行う。なお、ここで「必要な情報」とは、例えば、第２の通信装置２のＭＡＣアドレス、登録されている家電機器のＩＰアドレス、家電機器名、型番、等の情報である。
【００３７】
第２の通信装置２から第１の通信装置１、通信ネットワークＡを介して家電機器管理情報が管理サーバ４へと送信されると、第２の通信装置２は無事に通信設定がなされた、すなわち、第２の通信装置２と管理サーバ４との間の通信路は無事に確立された、ということになる（ＳＴ９）。従って、管理サーバ４の判断手段４ｂが通信路が確立されたことを確認すると（ＳＴ１０）、受信した家電機器管理情報を記憶手段４ｃへと記憶させる（ＳＴ１１）。
【００３８】
一方、家電機器管理情報が管理サーバ４へと送信できない状態は、第２の通信装置２の通信設定が無事に終了しなかった、ということである（ＳＴ９のＮＯ）。この場合は、第２の通信装置２と管理サーバ４との間に通信路が確立されていないので、家電機器管理情報はもちろんのこと、いずれの情報も第２の通信装置２から第１の通信装置１、通信ネットワークＡを介して管理サーバ４へと情報を送信することはできない。
【００３９】
そこで、第２の通信装置２の判断手段２ｂは、接続されている携帯情報端末３に対して、通信設定が失敗した旨、送信する（ＳＴ１２）。第２の通信装置２と携帯情報端末３との間は、その間の通信路を切断しない限り互いに情報をやりとりすることは可能なため、携帯情報端末３を介して管理サーバ４へ通信設定が失敗した情報を送信する。通信設定が失敗した旨を受信した携帯情報端末３は、判断手段３ｂ２において設定失敗情報を作成し、無線局５を介して管理サーバ４へと送信する（ＳＴ１３）。
【００４０】
携帯情報端末３から設定失敗情報を受信した管理サーバ４は、判断手段４ｂにて確認し（ＳＴ１４）、記憶手段４ｃに記憶させる（ＳＴ１５）。この設定失敗情報は、例えばこの情報を送信することになった第２の通信装置２に関する情報として記憶され、例えば、再度設定情報を作成する際にどの点が障害となって通信設定がなされなかったのか、或いは、第２の通信装置２の故障等が発生した場合に解析されて参考にされる。
【００４１】
以上説明した流れによって、第２の通信装置２について通信設定がなされる。但し、上述した第２の通信装置２について通信設定がなされ、管理サーバ４へ家電機器管理情報が無事送信された場合（ＳＴ８ないしＳＴ１１）には、該当する第２の通信装置２にとっては管理サーバ４との間で通信路が確立したのか否か、不明である。
【００４２】
そこで、次に、第２の通信装置２と管理サーバ４との間で無事通信路が確立された場合の、第２の通信装置２における確認方法について、以下、図６に示すフローチャートを示しつつ説明する。なお、前提として、第２の通信装置２から家電機器管理情報が管理サーバ４へと送信され、記憶手段４ｃ内に記憶される（図５のＳＴ８ないしＳＴ１１）。
【００４３】
管理サーバ４へ家電機器管理情報を送信した第２の通信装置２は、次に管理サーバ４に対して記憶済み家電機器管理情報を送信するように要求する（ＳＴ２１）。上述したように、既に家電機器管理情報が第２の通信装置２から管理サーバ４へと送信され、記憶手段４ｃ内に記憶されている。そこで、この要求を受けた管理サーバ４は、判断手段４ｂが記憶手段４ｃ内に記憶されている該当する第２の通信装置２に関する家電機器管理情報に記憶済みである旨の情報を付加して、要求を出した第２の通信装置２へと送信する（ＳＴ２２）。
【００４４】
記憶済み家電機器管理情報は、通信ネットワークＡ及び第１の通信装置１を介して第２の通信装置２へと送信され、該当する第２の通信装置２が取得する（ＳＴ２３）。記憶済み家電機器管理情報を取得した第２の通信装置２は、この記憶済み家電機器管理情報を比較手段２ｄへと送信する。比較手段２ｄは、併せて記憶手段２ｃから管理サーバ４へと送った家電機器管理情報を入手する。その上で、「記憶済み家電機器管理情報」と「家電機器管理情報」とを比較する（ＳＴ２４）。
【００４５】
ここで比較手段２ｄがこれらの情報を互いに比較するのは、比較した結果、両者が同一であると判断されると、第２の通信装置２と管理サーバ４との間には通信路が確立されている、ということを第２の通信装置２が把握することができるからである。比較手段２ｄが比較して両者同一であると判断手段２ｂが判断すると（ＳＴ２５のＹＥＳ）、その旨、携帯情報端末３へ送信する（ＳＴ２６）。送信された内容、すなわち、第２の通信装置２が記憶済み家電機器管理情報を受信した旨、第２の通信装置２と管理サーバ４との間に通信路が確立されていることは、例えば表示手段３ｃに表示される。作業者はこの情報を確認することで設定作業を終了させることができる。
【００４６】
一方、「記憶済み家電機器管理情報」と「家電機器管理情報」とを比較した結果、同一ではないと判断された場合には（ＳＴ２５のＮＯ）、第２の通信装置２が携帯情報端末３へ記憶済み家電機器管理情報の受信に失敗した旨、送信する（ＳＴ２７）。この情報を受信した携帯情報端末３は、受信失敗情報を作成して、管理サーバ４へと送信する（ＳＴ２８）。
【００４７】
ここで、第２の通信装置２が記憶済み家電機器管理情報の受信に失敗した旨を直接管理サーバ４へと送信しないで携帯情報端末３へと送信するのは、以下の理由からである。すなわち、家電機器管理情報が第２の通信装置２から管理サーバ４へと送信できても、管理サーバ４から第２の通信装置２へと記憶済み家電機器管理情報が送信できなければ、両者の間における通信路は確立されていない、或いは、一旦確立されたものの、何らかの理由により不通になった、と考えることができるからである。そこで、第２の通信装置２が記憶済み家電機器管理情報の受信に失敗した旨を確実に管理サーバ４へと送信するために、携帯情報端末３を経由してその旨を知らせることとした。
【００４８】
以上、通信設定を行う対象に関する設定情報を予め管理サーバ４にて作成しておき、この設定情報を携帯情報端末において設定作業に合わせて取得し、この取得した設定情報を基に第２の通信装置の通信設定を行うことによって、通信装置の通信設定に関する特別な知識を有しない作業者や個別の事情を把握していない作業者であっても、簡易、確実に通信装置の設定を行うことのできるネットワーク通信システム及びネットワーク通信システムの設定方法を提供することができる。
【００４９】
なお、この発明は、上述実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよく、異なる実施の形態に亘る構成要素を適宜組み合わせてもよい。
【符号の説明】
【００５０】
１  …第１の通信装置
２  …第２の通信装置
３  …携帯情報端末
４  …管理サーバ
５  …無線局
Ａ  …通信ネットワーク
Ｓ  …ネットワーク通信システム
【図１】
2011004130.tif 000003
【図２】
2011004130.tif 000004
【図３】
2011004130.tif 000005
【図４】
2011004130.tif 000006
【図５】
2011004130.tif 000007
【図６】
2011004130.tif 000008